(57)【特許請求の範囲】
【請求項１】
自動入出金機に投入された複数枚の紙幣を一枚ずつ分離して搬送し、金種別に金庫に収納する入出金システムにおいて、
搬送路中に配置され、紙幣の搬送状態を検出する複数のセンサと、
上記センサが検出した紙幣の搬送状態をデータとして記憶する記憶部と、
上記記憶部が記憶した前記搬送状態データ、前記搬送により前記各金庫に投入された分の紙幣の収納状態及び前記金庫内に収納されている紙幣の収納状態とをそれぞれ表示する表示手段とを設けたことを特徴とする入出金システム。
【請求項２】
上記表示手段は、上記自動入出金機に接続された操作部に設けられたことを特徴とする請求項１記載の入出金システム。
【請求項３】
上記表示手段は、搬送方向に隣接する前記センサ間に紙幣が存在することを表示することを特徴とする請求項１または２記載の入出金システム。
【発明の詳細な説明】
【０００１】
【発明の属する技術分野】
本発明は、銀行や郵便局などの金融機関において預貯金の引き出し、預け入れ、あるいは振り込みなどに使用される入出金システムに関する。
【０００２】
【従来の技術】
従来、銀行や郵便局などの金融機関において預貯金の引き出し、預け入れ、あるいは振り込みなどに使用される入出金システムには、自動入出金機に投入された複数枚の紙幣を一枚ずつ分離して搬送し、金種別に金庫に収納するものがある。自動入出金機は、通常、一括金庫、万円金庫、五千円金庫、千円金庫を有しており、各金庫の上部には、一時保留部が設けられている。顧客によって投入され、一枚ずつ分離されて搬送された紙幣は、鑑別計数部で真偽と金種の判別、および金額の計数が行われた後、各金庫の一時保留部に集積される。
【０００３】
自動入出金機は、投入された紙幣の金額を表示し、顧客は、表示された金額と自分が投入した紙幣の金額とが同じである場合は、確認キーを押下する。これにより、一時保留部に集積された紙幣は金庫内に収納される。ここで、顧客が紙幣を投入した後に搬送路中でジャムが発生した場合には、係員が自動入出金機の扉を開け、搬送路中、および一時保留部の紙幣を全て顧客に返却する。一時保留部は、このようにして顧客が確認キーを押下するまでの、顧客の紙幣と銀行の紙幣との切り分けを行っている。
【０００４】
【発明が解決しようとする課題】
従来の入出金システムにあっては、顧客の紙幣と銀行の紙幣との切り分けを行う一時保留部を各金庫の上部にそれぞれ設けなければならず、この一時保留部の構成が複雑になっており、自動入出金機の小形化の妨げとなっているという問題点があった。
【０００５】
【課題を解決するための手段】
上記課題を解決するために、本発明の入出金システムにおいては、搬送路中に配置され、紙幣の搬送状態を検出する複数のセンサと、センサが検出した紙幣の搬送状態をデータとして記憶する記憶部と、記憶部が記憶した搬送状態データを表示する表示手段とを設けた。
【０００６】
上記のように構成された入出金システムの自動入出金機に複数枚の紙幣が投入されると、紙幣は一枚ずつ分離されて搬送路を搬送され、センサがその搬送状態を検出して記憶部に送信し、記憶部が搬送状態データとして記憶し、紙幣が金種別に全て各金庫に収納された後、あるいは搬送ジャムが発生して搬送を中止した時点で表示手段が搬送状態データを表示する。
【０００７】
【発明の実施の形態】
本発明の実施の形態について図面を参照しながら説明する。なお、各図面に共通な要素には同一の符号を付す。図１は本発明の入出金システムの制御部を示すブロック図、図２は本発明の自動入出金機を示す斜視図、図３は自動入出金機の内部構造を示す説明図である。図１において、入出金システム２１は、自動入出金機２２と係員操作部１７とで構成される。係員操作部１７には、ＬＣＤ表示部３２と入金状態表示釦３４とが接続されている。係員操作部１７は、自動入出金機２２の操作盤制御部５に接続されており、自動入出金機２２の設置してある場所とは別の場所にいる係員が、ＬＣＤ表示部３２を見ることにより、自動入出金機２２の取り引き動作状況を監視するものである。
【０００８】
自動入出金機２２の制御部１には、カードリーダ制御部２、通帳制御部３、現金処理制御部４、操作盤制御部５が接続されている。カードリーダ制御部２には、カードリーダ６とカード走行部７とが接続されている。さらに、通帳制御部３には通帳プリンタ１０と通帳走行部１１とが接続される。また、現金処理制御部４には投入排出口１２と鑑別計数部１３と金庫１４とが、操作盤制御部５には顧客操作部１５と表示パネル１６と上述した係員操作部１７とが接続される。
【０００９】
また、制御部１内には、記憶部２３が設けられており、この記憶部２３には、センサ２４と操作盤制御部５が接続されている。センサ２４は、自動入出金機２２内の搬送路中に複数設けられており、紙幣の搬送状態を検出してそのデータを制御部１に送信する。制御部１は、センサ２４から送信された搬送状態データを記憶部２３に記憶する。記憶部２３に記憶された搬送状態データは、係員が入金状態表示釦３４を操作することにより、操作盤制御部５と係員操作部１７とを介してＬＣＤ表示部３２に表示される。
【００１０】
図２において、自動入出金機２２は、その正面に紙幣投入排出口１２ａ、硬貨投入排出口１２ｂ、カード挿入排出口２７、通帳挿入排出口２８、表示パネル１６を備えている。図３において、自動入出金機２２は、内部に万円金庫１４ａ、五千円金庫１４ｂ、千円金庫１４ｃ、一括金庫１４ｄ、リジェクト金庫１４ｅを有しており、各金庫の上部には、それぞれ紙幣繰出し手段４２ａ、４２ｂ、４２ｃ、４２ｄが設けられている。これらの金庫は、搬送路２９により紙幣挿入排出口１２ａとつながっている。この搬送路２９は、複数の搬送ローラ３０などからなっており、その途中に鑑別計数部１３、表裏反転部４１、また複数のセンサ２４が設けられている。
【００１１】
上述したような入出金システム２１による入金処理動作について説明する。図４、図５はＬＣＤ表示部による表示例を示す説明図である。入金処理を行う場合には、まず顧客が操作誘導の表示パネル１６の入金キーを押下すると、制御部１は、操作盤制御部５を介して入金取り引きと判断し、通帳の挿入を待つ。顧客が通帳挿入排出口２８から通帳を挿入すると、通帳制御部３は、通帳走行部１１へ通帳を取り込んでその磁気ストライプ内の頁と行内容を読取り、制御部１へ読み取ったデータを送信する。
【００１２】
制御部１は、このデータが正常であれば、現金処理制御部４を介して紙幣の投入を待つ。顧客が紙幣投入排出口１２ａから紙幣を投入すると、現金処理制御部４は、鑑別計数部１３でそれが真券か偽券を判断し、真券であれば一時保留を行わずにそのまま所定の金庫に投入する。センサ２４は、紙幣が搬送路２９を搬送される間、紙幣が一枚ずつ通過する度にオンオフし、その信号を制御部１に送信する。全ての紙幣が各金庫に納められると、入金額が表示パネル１６により顧客に表示される。また、ＬＣＤ表示部３２には、図４に示すような投入された紙幣の金種、枚数、金額、収納状態が係員に表示される。
【００１３】
顧客が入金額を確認して表示パネル１６の確認キーを押下すると、通帳制御部３は、通帳プリンタ１０で取り引き内容を印字し、通帳挿入排出口２８から通帳を返却して入金処理を終了する。なお、顧客が投入した紙幣のうち一枚が搬送路中でジャムを起こしてしまった場合は、ジャムが発生した時点で搬送ローラ３０の駆動を停止して紙幣の搬送を中断する。上述したように、センサ２４は、紙幣が搬送路２９を搬送される間、紙幣が一枚ずつ通過する度にオンオフし、その信号を制御部１に送信している。
【００１４】
制御部１は、あるセンサ２４がオンオフし、次のセンサ２４がオンオフする前に紙幣の搬送が中断されると、そのセンサ間に紙幣が一枚あると判断し、紙幣の位置を把握する。そして、図５に示すように、センサ２４が検出した紙幣の収納状態と搬送状態、つまり紙幣が存在している位置を、ＬＣＤ表示部３２により係員に表示する。係員は、ここで自動入出金機２２の図示せぬ扉を開け、この表示画面に従って搬送路２９中、各金庫内、および紙幣投入排出口１２ａにある紙幣を全て顧客に返却する。
【００１５】
出金処理を行う場合、顧客が操作誘導の表示パネル１６の出金キーを押下すると、制御部１は、操作盤制御部５を介して出金取り引きと判断し、カードの挿入を待つ。顧客がカード挿入排出口２７からカードを挿入すると、カードリーダ制御部２は、カードを取り込みカードリーダ６で磁気ストライプ内のデータを読み取って制御部１へ送信する。制御部１は、このデータが正常であれば、顧客に支払い金額を表示パネル１６から入力するように指示する。顧客が支払い金額を入力すると、制御部１が現金処理制御部４により金庫１４から指定された金額分の紙幣を繰出す。その後、カード挿入排出口２７から顧客にカードを返却し、鑑別計数部１３を通して正常券を紙幣投入排出口１２ａから排出し、支払い処理を終了する。
【００１６】
このように搬送路２９中に配置され、紙幣の搬送状態を検出するセンサ２４と、センサ２４が検出した紙幣の搬送状態をデータとして記憶する記憶部２３と、搬送状態データを表示するＬＣＤ表示部３２とを設けたことにより、投入された紙幣を一時保留部に保留しなくても、顧客の紙幣と銀行の紙幣との切り分けを容易に行うことができるので、自動入出金機２２の小形化が可能となる。なお、入金取引に際しては、顧客の預貯金残高情報などを管理する上位装置との交信や暗証番号の入力などによる顧客識別が必要であるがその説明は省略した。
【００１７】
【発明の効果】
本発明は、以上説明したように構成されているので、以下に記載されるような効果を奏する。
【００１８】
すなわち、搬送路中に配置され、紙幣の搬送状態を検出するセンサと、センサが検出した紙幣の搬送状態をデータとして記憶する記憶部と、記憶部が記憶した搬送状態データを表示する表示手段とを設けたことにより、投入された紙幣を一時保留部に保留しなくても、顧客の紙幣と銀行の紙幣との切り分けを容易に行うことができるので、自動入出金機の小形化が可能となる。
【図面の簡単な説明】
【図１】本発明の入出金システムの制御部を示すブロック図である。
【図２】本発明の自動入出金機を示す斜視図である。
【図３】自動入出金機の内部構造を示す説明図である。
【図４】ＬＣＤ表示部による表示例を示す説明図である。
【図５】ＬＣＤ表示部による表示例を示す説明図である。
【符号の説明】
１４    金庫
２１    入出金システム
２２    自動入出金機
２３    記憶部
２４    センサ
３２    ＬＣＤ表示部
１７    係員操作部
【図１】
0003874207.tif 000002
【図２】
0003874207.tif 000003
【図３】
0003874207.tif 000004
【図４】
0003874207.tif 000005
【図５】
0003874207.tif 000006